(57)【要約】【課題】  プラスチック構造体の軽量化、廃プラスチックの再利用【解決手段】  Ｕ字型側溝、トラフ又はマンホールなどに適用できるように鉄筋又は鉄板を内部に入れて補強したプラスチック構造体で構成した。プラスチック構造体は、鉄筋又は鉄板を内部に入れて補強した強化プラスチックで製造された複数の構成部材を組み付けて接合した構成にしてもよい。またプラスチックには廃プラスチックを再利用してもよい。本発明によればコンクリート製のものに比べて軽量であり、これらは地下に埋設されたときに受ける圧力に対しても十分な耐力を備えている。【選択図】  図１
2006161481.tif 000002
【特許請求の範囲】
【請求項１】
鉄筋又は鉄板を内部に入れて補強したプラスチックで構成したことを特徴とするプラスチック構造体。
【請求項２】
鉄筋又は鉄板を内部に入れて補強したプラスチックで製造した複数の構成部材を組み付けて接合する構造を備えたプラスチック構造体。
【請求項３】
略Ｕ字形の断面形状を備えたＵ字型側溝又はトラフであって、底部を構成する底部材と、側壁を構成する側壁部材のそれぞれを鉄筋又は鉄板を内部に入れて補強したプラスチックで構成し、前記底部材と側壁部材をＵ字型側溝又はトラフを構成するように組み付けて接合する構造を備えたことを特徴とするＵ字型側溝又はトラフ。
【請求項４】
マンホールを分割した各部材を鉄筋又は鉄板を内部に入れて補強したプラスチックで構成し、前記各部材がマンホールを構成するように組み付けて接合する構造を備えたことを特徴とするマンホール。
【請求項５】
前記プラスチックは廃プラスチックを再利用したものであることを特徴とする請求項１から４の何れかに記載のプラスチック構造体。
【発明の詳細な説明】
【技術分野】
【０００１】
本発明はＵ字型側溝、トラフ又はマンホールなどに用いることができるプラスチック構造体に関するものである。
【背景技術】
【０００２】
地下埋設物であるＵ字型側溝、トラフ又はマンホールは、コンクリート製のものが多く用いられている。また、特許文献１に記載されるように、これらの一部を構成する部位にプラスチックを用いたものも知られている。
【特許文献１】特開平８−１８９０４５
【発明の開示】
【発明が解決しようとする課題】
【０００３】
地下埋設物であるＵ字型側溝、トラフ又はマンホールは、コンクリート製のものが多く用いられているが、これらは地下に埋設されたときに受ける圧力に充分な耐力を備えている必要があるためであり、重量も大きく、製品コストも高い。
【課題を解決するための手段】
【０００４】
本発明は、鉄筋又は鉄板を内部に入れて補強したプラスチックで構成したプラスチック構造体であり、Ｕ字型側溝、トラフ又はマンホールなどの地下埋設物を提供し得るものである。この場合、複雑な形状を単純な形状のプラスチック構造体で構成すべく、鉄筋又は鉄板を内部に入れて補強したプラスチックで製造された複数の構成部材を組み付けて接合する構成にしてもよい。またプラスチックには廃プラスチックを再利用してもよい。
【発明の効果】
【０００５】
本発明によれば、Ｕ字型側溝、トラフ又はマンホールなどの地下埋設物を、鉄筋又は鉄板を内部に入れて補強したプラスチックで構成することができる。これらはコンクリート製のものに比べて軽量であり、地下に埋設されたときに受ける圧力に対しても十分な耐力を備えている。また、鉄筋又は鉄板を内部に入れて補強した強化プラスチックで製造された複数の構成部材を組み付けて接合した構成することにより、鉄筋又は鉄板を内部に入れて補強したプラスチックで各部材を製造することが簡単になり、製造設備の設備コストを安価にすることができる。またプラスチックは廃プラスチックを再利用することにより、製品コストを安価にすることができるだけでなく、プラスチックゴミ問題を解消することができる。
【発明を実施するための最良の形態】
【０００６】
以下、本発明の一実施形態に係るＵ字型側溝、トラフ又はマンホールを図面に基づいて説明する。
【０００７】
本発明の一実施形態に係る電気用又は通信用マンホール１０は、図１に示すように、断面がＵ字型のマンホール１０の底部を構成する底部材１１と、側壁を構成する側壁部材１２と、マンホール１０の上縁部を構成する上縁部材１３を備えている。底部材１１、側壁部材１２及び上縁部材１３はそれぞれ内部に鉄筋１４を格子状に入れて補強した強化プラスチック１５で構成している。内部に鉄筋１４を入れて補強した強化プラスチック１５は、例えば、所定の型内に、鉄筋１４を設置した状態で、溶融樹脂を充填し、これを冷却することにより製造することができる。なお、図示は省略するが、補強材として鉄板を入れる場合も同様に製造することができる。このマンホール１０は、このように内部に鉄筋１４を格子状に入れて補強した強化プラスチック１５で形成することが容易な適切な形状に分割されており、各構成部材はそれぞれマンホールを構成するように組付けられて接合ボルト１６で固定されている。
【０００８】
この実施形態では、図１に示すように、底部材１１に側壁部材１２を取り付け、側壁部材１２の上縁に上縁部材１３を取り付け、さらに上縁部材１３の上面に蓋取付枠１７を取り付け、上部にマンホール１０の蓋１８が設置できるようになっている。また、この実施形態では、マンホール１０の各部材を接合する接合面にシール材（図示省略）を介在させて接合して、マンホール１０に地下水が浸入したり、マンホール１０から水が漏れたりするのを防止している。
【０００９】
このように構成した電気用又は通信用マンホール１０は、内部に鉄筋１４を格子状に入れて補強した強化プラスチック１５で構成しているので、地下に埋設されたときに受ける圧力に対して十分な耐力を備えている。また、従来のコンクリート製のものに比べて軽量である。またプラスチックに廃プラスチックを再利用することにより、製品コストを安価にすることができる。また、断面がＵ字型のマンホール１０を、適切な形状の構成部材に分割し、各構成部材を電気用又は通信用マンホール１０に組付けて接合したので、鉄筋１４で補強したプラスチック１５で各部材を製造することが簡単になり、また設備コストも低く抑えることができる。
【００１０】
次に、変形例に係る電気用又は通信用マンホール１０ａを図２に示す。なお、同図において、図１に示す電気用又は通信用マンホール１０と同じ作用を奏する部材、部位には同じ符号を付している。
【００１１】
図２に示す電気用又は通信用マンホール１０ａでは、電気用又は通信用マンホール１０ａの底部材１１ａは幅方向断面において中央が窪んで形成されている。また、この変形例に係る電気用又は通信用マンホール１０ａは、ケーブルを固定するのに用いるＵ字金具１９がプラスチックに植設されている。
【００１２】
次に、Ｕ字型側溝又はトラフを説明する。Ｕ字型側溝又はトラフ３０は、図３に示すように、内部に鉄筋３１を格子状に入れて補強した強化プラスチック３２で形成することが容易なように適切な形状の構成部材に分割されており、各構成部材はそれぞれＵ字型側溝又はトラフ３０を構成するように組付けられて接合ボルト３３で固定されている。
【００１３】
この実施形態では、Ｕ字型側溝又はトラフ３０は、図３に示すように、断面がＵ字型の底部を構成する底部材３４と、側壁を構成する側壁部材３５と、Ｕ字型側溝又はトラフ３０の蓋を構成する蓋部材３６に分割している。底部材３４、側壁部材３５及び蓋部材３６はそれぞれ内部に鉄筋３１を格子状に入れて補強した強化プラスチック３２で構成しており、底部材３４に側壁部材３５を組み付けて接合ボルト３３で接合するようになっている。また、側壁部材３５の上端には蓋部材３６を設置するための段差が形成されており、図３に示すように、蓋部材３６が嵌め込まれるようになっている。また、図４に示すように、蓋部材２６に代えて、グレーチング蓋３７を取り付けるタイプのＵ字型側溝又はトラフ３０もあり、側壁部材３５の上縁にグレーチング蓋３７を取り付ける段差を設けている。この実施形態では、側壁部材３５の斯かる段差部分は鉄板をＬ字型に曲げた金具３８をプラスチック３２に埋め込んでおり、グレーチング蓋３７が当たるところを補強している。また、Ｕ字型側溝又はトラフ３０の側壁部材３５の長手方向の両端部には、図５に示すように、それぞれＵ字型側溝又はトラフ３０を連結するときに、嵌まり込むように対応する凹凸３９が設けられており、Ｕ字型側溝又はトラフ３０を長手方向に組み合わせることができるようになっている。なお、図示は省略するが、ケーブルを敷設する金具はプラスチック３２に植設して設けても良い。
【００１４】
このＵ字型側溝又はトラフ３０によれば、内部に鉄筋３１を格子状に入れて補強した強化プラスチック３２で構成しているので、地下に埋設されたときに受ける圧力に対して十分な耐力を備えている。また、従来のコンクリート製のものに比べて軽量である。またプラスチックに廃プラスチックを再利用することにより、製品コストを安価にすることができる。また、断面がＵ字型のＵ字型側溝又はトラフ３０を、適切な形状の構成部材に分割し、各構成部材をＵ字型側溝又はトラフ３０に組付けて接合したので、鉄筋３１で補強したプラスチック３２で各部材を製造することが簡単になり、また設備コストも低く抑えることができる。
【００１５】
次に、下水用のマンホールを説明する。この下水用マンホール５０は、図６に示すように、下水用マンホール５０の地下空間５１の底を構成する底部材５２と、下水用マンホール５０の地下空間５１の側壁を形成する側壁部材５３と、下水用マンホール５０の地下空間５１の天井を構成する天井部材５４と、下水用マンホール５０に人が出入する人孔５５を構成する人孔壁部材５６に分割されている。底部材５２、側壁部材５３、天井部材５４及び人孔壁部材５６の各構成部材はそれぞれ内部に鉄筋５７を格子状に入れて補強した強化プラスチック５８で構成されており、この実施形態では、各構成部材は下水用マンホール５０を構成するように組付けられた後、接合ボルト６０で接続されている。
【００１６】
この実施形態では、図６に示すように、下水用マンホール５０の地下空間５１の側壁は、複数の側壁部材５３を組み合わせて接合する構造とし、また人孔も複数の人孔壁部材５６を組み合わせて接合したものである。このように、各構成部材を小型にすることにより、製造設備の設備コストを低く抑えることができる。また、人孔壁部材５６には、人が出入するときに使う足掛金具６１がプラスチック５８に植設されている。また、天井部材５４には、人孔と地下空間５１を連通させる穴５９が形成されている。
【００１７】
この下水用マンホール５０の組み付けは、まず底部材５２に側壁部材５３を接合ボルト６０で接続し、地下空間５１を形成する各側壁部材５３を順に組付け接続し、さらに地下空間５１の天井を構成する天井部材５４を組付けて接続する。次に、天井部材５４に形成された穴５９に合わせて人孔壁部材５６を組み付けて接合ボルト６０で接続する。次に、人孔壁部材５６の上面には蓋取付枠６３を取り付け、上部に下水用マンホール５０の蓋６４を設置する。なお、この実施形態では、下水用マンホール５０の各部材を接合する接合面にシール材を介在させて接合しており、下水用マンホール５０に水が浸入したり、下水用マンホール５０から水が漏れるのを防止している。
【００１８】
この下水用マンホール５０によれば、内部に鉄筋５７を格子状に入れて補強した強化プラスチック５８で構成しているので、地下に埋設されたときに受ける圧力に対して十分な耐力を備えている。また、従来のコンクリート製のものに比べて軽量である。またプラスチックに廃プラスチックを再利用することにより、製品コストを安価にすることができる。また、下水用マンホール５０を適切な形状の構成部材に分割し、各構成部材を組付けて接合したので、鉄筋５７で補強したプラスチック５８で各部材を製造することが簡単になり、また設備コストも抑えることができる。また、プラスチックは、通常の家庭や工場から排出されるような下水に対して、安定した性質を備えているので、下水用マンホールに好適である。
【００１９】
以上、本発明の一実施形態に係るプラスチック構造体として、Ｕ字型側溝、トラフ、マンホールなどを例示したが、本発明は上記の実施形態に限定されるものではない。
【００２０】
内部に鉄筋を格子状に入れて補強した強化プラスチックは他のプラスチック構造体、例えば、土止め壁、土止め擁壁に応用が可能であり、道路上の構造物として、歩道と車道又は官地と民地などの区画を分ける境界ブロック、さらに、宅地境界に設置する保安上又は目隠し用の境界ブロック壁等にも適用することができる。
【００２１】
また、プラスチックには、例えば、ポリエチレンテレフタレートやポリプロピレンなどを用いることができる。また、廃プラスチックを再利用することもできる。廃プラスチックを利用する場合には、廃プラスチックに純粋なプラスチックのペットなどを混合して用いても良い。
【００２２】
また、上述した実施形態では、プラスチック構造体は、それぞれ鉄筋又は鉄板を内部に入れて補強した強化プラスチックで製造した複数の構成部材を組み付けて接合する構造を備えているが、本発明に係るプラスチック構造体は、それぞれ鉄筋又は鉄板を内部に入れて補強した強化プラスチックで一体的な構造で製造してもよい。
【図面の簡単な説明】
【００２３】
【図１】本発明の一実施形態に係る電気用又は通信用マンホールの縦断面図。
【図２】電気用又は通信用マンホールの変形例を示す縦断面図。
【図３】本発明の一実施形態に係るＵ字型側溝又はトラフの縦断面図。
【図４】本発明の一実施形態に係るＵ字型側溝又はトラフの縦断面図。
【図５】本発明の一実施形態に係るＵ字型側溝又はトラフの斜視図。
【図６】本発明の一実施形態に係る下水用マンホールの縦断面図。
【符号の説明】
【００２４】
１０   電気用又は通信用マンホール
１１   底部材
１２   側壁部材
１３   上縁部材
１４   鉄筋
１５   プラスチック
１６   接合ボルト
１７   蓋取付枠
１８   蓋
２６   蓋部材
３０   Ｕ字型側溝又はトラフ
５０   下水用マンホール
【図１】
2006161481.tif 000003
【図２】
2006161481.tif 000004
【図３】
2006161481.tif 000005
【図４】
2006161481.tif 000006
【図５】
2006161481.tif 000007
【図６】
2006161481.tif 000008